(57)【要約】共沸もしくは共沸混合物様組成物が開示される。共沸もしくは共沸混合物様組成物は、（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物との混合物である。熱可塑性または熱硬化性発泡体を製造するための、冷却を行うための、エアゾール製品を製造するためのならびに消火および鎮火するための；ならびに発泡剤、溶媒、熱媒および誘電体としてのかかる共沸もしくは共沸混合物様組成物の使用方法もまた開示される。
2014504675.tif 000002
【特許請求の範囲】
【請求項１】
（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、
（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物と
を含む組成物であって、成分Ｂ化合物が前記組成物中の成分Ａ化合物と共沸もしくは共沸混合物様組み合わせを形成するのに有効な量で前記組成物中に存在する組成物。
【請求項２】
（ａ）Ｅ−１，１，１，４，４，５，５，５−オクタフルオロ−２−ペンテンと、
（ｂ）１，１，１，２，３−ペンタフルオロプロパンと
から本質的になる請求項１に記載の組成物であって、前記１，１，１，２，３−ペンタフルオロプロパンが前記Ｅ−１，１，１，４，４，５，５，５−オクタフルオロ−２−ペンテンと共沸組み合わせを形成するのに有効な量で存在する組成物。
【請求項３】
（ａ）Ｅ−１，１，１，４，４，５，５，５−オクタフルオロ−２−ペンテンと、
（ｂ）１，１，１，２，３−ペンタフルオロプロパンと
から本質的になる請求項１に記載の組成物であって、前記１，１，１，２，３−ペンタフルオロプロパンが前記Ｅ−１，１，１，４，４，５，５，５−オクタフルオロ−２−ペンテンと共沸混合物様組み合わせを形成するのに有効な量で存在する組成物。
【請求項４】
（ａ）Ｅ−１−クロロ−３，３，３−トリフルオロプロペンと、
（ｂ）１，１，１，２，３−ペンタフルオロプロパンと
から本質的になる請求項１に記載の組成物であって、前記１，１，１，２，３−ペンタフルオロプロパンが前記Ｅ−１−クロロ−３，３，３−トリフルオロプロペンと共沸組み合わせを形成するのに有効な量で存在する組成物。
【請求項５】
（ａ）Ｅ−１−クロロ−３，３，３−トリフルオロプロペンと、
（ｂ）１，１，１，２，３−ペンタフルオロプロパンと
から本質的になる請求項１に記載の組成物であって、前記１，１，１，２，３−ペンタフルオロプロパンが前記Ｅ−１−クロロ−３，３，３−トリフルオロプロペンと共沸混合物様組み合わせを形成するのに有効な量で存在する組成物。
【請求項６】
（ａ）Ｅ−１−クロロ−２，３，３，３−テトラフルオロプロペンと、
（ｂ）１，１，１，２，３−ペンタフルオロプロパンと
から本質的になる請求項１に記載の組成物であって、前記１，１，１，２，３−ペンタフルオロプロパンが前記Ｅ−１−クロロ−２，３，３，３−テトラフルオロプロペンと共沸組み合わせを形成するのに有効な量で存在する組成物。
【請求項７】
（ａ）Ｅ−１−クロロ−２，３，３，３−テトラフルオロプロペンと、
（ｂ）１，１，１，２，３−ペンタフルオロプロパンと
から本質的になる請求項１に記載の組成物であって、前記１，１，１，２，３−ペンタフルオロプロパンが前記Ｅ−１−クロロ−２，３，３，３−テトラフルオロプロペンと共沸混合物様組み合わせを形成するのに有効な量で存在する組成物。
【請求項８】
（ａ）Ｚ−１，１，１，４，４，４−ヘキサフルオロ−２−ブテンと、
（ｂ）１，１，１，２，３−ペンタフルオロプロパンと
から本質的になる請求項１に記載の組成物であって、前記１，１，１，２，３−ペンタフルオロプロパンが前記Ｚ−１，１，１，４，４，４−ヘキサフルオロ−２−ブテンと共沸混合物様組み合わせを形成するのに有効な量で存在する組成物。
【請求項９】
（ａ）Ｚ−１，１，１，４，４，４−ヘキサフルオロ−２−ブテンと、
（ｂ）Ｅ−１−クロロ−２，３，３，３−テトラフルオロプロペンと
から本質的になる請求項１に記載の組成物であって、前記Ｅ−１−クロロ−２，３，３，３−テトラフルオロプロペンが前記Ｚ−１，１，１，４，４，４−ヘキサフルオロ−２−ブテンと共沸混合物様組み合わせを形成するのに有効な量で存在する組成物。
【請求項１０】
（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、
（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物と
から本質的になる共沸もしくは共沸混合物様組成物。
【請求項１１】
共沸もしくは共沸混合物様組成物を発泡剤として使用する工程を含む熱可塑性または熱硬化性発泡体の製造方法であって、前記共沸もしくは共沸混合物様組成物が請求項１０に記載の組成物である方法。
【請求項１２】
共沸もしくは共沸混合物様組成物を凝縮させる工程と、その後冷却されるべき本体の近くで前記共沸もしくは共沸混合物様組成物を蒸発させる工程とを含む冷却を行うための方法であって、前記共沸もしくは共沸混合物様組成物が請求項１０に記載の組成物である方法。
【請求項１３】
共沸もしくは共沸混合物様組成物を溶媒として使用する工程を含む方法であって、前記共沸もしくは共沸混合物様組成物が請求項１０に記載の組成物である方法。
【請求項１４】
共沸もしくは共沸混合物様組成物を噴射剤として使用する工程を含むエアゾール製品の製造方法であって、前記共沸もしくは共沸混合物様組成物が請求項１０に記載の組成物である方法。
【請求項１５】
共沸もしくは共沸混合物様組成物を熱媒として使用する工程を含む方法であって、前記共沸もしくは共沸混合物様組成物が請求項１０に記載の組成物である方法。
【請求項１６】
共沸もしくは共沸混合物様組成物を消火剤または鎮火剤として使用する工程を含む消火または鎮火方法であって、前記共沸もしくは共沸混合物様組成物が請求項１０に記載の組成物である方法。
【請求項１７】
共沸もしくは共沸混合物様組成物を誘電体として使用する工程を含む方法であって、前記共沸もしくは共沸混合物様組成物が請求項１０に記載の組成物である方法。
【発明の詳細な説明】
【技術分野】
【０００１】
本開示は、成分の少なくとも１つがハロオレフィンである共沸もしくは共沸混合物様組成物に関する。
【背景技術】
【０００２】
多くの産業は、オゾン破壊性のクロロフルオロカーボン（ＣＦＣ）およびハイドロクロロフルオロカーボン（ＨＣＦＣ）の代替品を見いだすために過去数十年間取り組んできた。ＣＦＣおよびＨＣＦＣは、エアゾール噴射剤、冷媒、クリーニング剤、熱可塑性および熱硬化性発泡体用の膨張剤、熱媒、ガス状誘電体、消火剤および鎮火剤、動力サイクル作動流体、重合媒体、微粒子除去流体、キャリア流体、バフ研磨剤、および置換乾燥剤としてのそれらの使用をはじめとする、多種多様な用途に用いられてきた。これらの用途が広い化合物の代替品の探究で、多くの産業がハイドロフルオロカーボン（ＨＦＣ）の使用に乗り出してきた。
【発明の概要】
【発明が解決しようとする課題】
【０００３】
ＨＦＣは、成層圏オゾンの破壊に関与しないが、それらが「温室効果」に関与するために、すなわち、それらが地球温暖化に関与するために懸念されている。それらが地球温暖化に関与するため、ＨＦＣは監視下に置かれ、それらの広範囲に及ぶ使用もまた将来制限される可能性がある。このように、成層圏オゾンの破壊に関与せず、かつ、低い地球温暖化係数（ＧＷＰ）もまた有する組成物が必要とされている。１，１，１，４，４，４−ヘキサフルオロ−２−ブテン（ＣＦ３ＣＨ＝ＣＨＣＦ３、ＦＣ−１３３６ｍｚｚ）などの、特定のハイドロフルオロオレフィンは両方の目標を達成すると考えられる。１，１，１，４，４，５，５，５−オクタフルオロ−２−ペンテン（ＣＦ３ＣＨ＝ＣＨＣＦ２ＣＦ３、ＨＦＯ−１４３８ｍｚｚ）および１，１，１，４，４，４−ヘキサフルオロ−２−ブテン（ＣＦ３ＣＨ＝ＣＨＣＦ３、ＦＣ−１３３６ｍｚｚ、ＨＦＯ−１３３６ｍｚｚ）などの、特定のヒドロフルオロオレフィンは両目標を達成すると考えられる。１−クロロ−３，３，３−トリフルオロプロペン（ＨＣＦＯ−１２３３ｚｄ）および１−クロロ−２，３，３，３−テトラフルオロプロペン（ＨＣＦＯ−１２２４ｙｄ）はまた、低いＯＤＰおよび低いＧＷＰを有する化合物の例である。
【課題を解決するための手段】
【０００４】
本開示は、（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とを含む組成物であって、成分（Ｂ）化合物が組成物中の成分（Ａ）化合物と共沸もしくは共沸混合物様組み合わせを形成するのに有効な量で組成物中に存在する組成物を提供する。
【０００５】
一態様において本開示は、（ａ）Ｅ−ＨＦＯ−１４３８ｍｚｚと（ｂ）ＨＦＣ−２４５ｅｂとから本質的になる組成物であって、ＨＦＣ−２４５ｅｂがＥ−ＨＦＯ−１４３８ｍｚｚと共沸もしくは共沸混合物様混合物を形成するのに有効な量で存在する組成物を提供する。
【０００６】
別の態様において本開示は、（ａ）Ｅ−ＨＣＦＯ−１２３３ｚｄと（ｂ）ＨＦＣ−２４５ｅｂとから本質的になる組成物であって、ＨＦＣ−２４５ｅｂがＥ−ＨＣＦＯ−１２３３ｚｄと共沸もしくは共沸混合物様混合物を形成するのに有効な量で存在する組成物を提供する。
【０００７】
別の態様において本開示は、（ａ）Ｅ−ＨＣＦＯ−１２２４ｙｄと（ｂ）ＨＦＣ−２４５ｅｂとから本質的になる組成物であって、ＨＦＣ−２４５ｅｂがＥ−ＨＣＦＯ−１２２４ｙｄと共沸もしくは共沸混合物様混合物を形成するのに有効な量で存在する組成物を提供する。
【０００８】
別の態様において本開示は、（ａ）Ｚ−ＨＦＯ−１３３６ｍｚｚと（ｂ）ＨＦＣ−２４５ｅｂとから本質的になる組成物であって、ＨＦＣ−２４５ｅｂがＺ−ＨＦＯ−１３３６ｍｚｚと共沸混合物様混合物を形成するのに有効な量で存在する組成物を提供する。
【０００９】
別の態様において本開示は、（ａ）Ｚ−ＨＦＯ−１３３６ｍｚｚと（ｂ）Ｅ−ＨＣＦＯ−１２２４ｙｄとから本質的になる組成物であって、Ｅ−ＨＣＦＯ−１２２４ｙｄがＺ−ＨＦＯ−１３３６ｍｚｚと共沸混合物様混合物を形成するのに有効な量で存在する組成物を提供する。
【００１０】
（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるときＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とから本質的になる共沸もしくは共沸混合物様組成物、ならびにそれらの方法のすべてが、成分（Ａ）化合物と成分（Ｂ）化合物とから本質的になるかかる共沸もしくは共沸混合物様組成物を使用する、熱可塑性または熱硬化性発泡体の製造方法、冷却を行うための方法、共沸もしくは共沸混合物様組成物を溶媒として使用する方法、エアゾール製品の製造方法、共沸もしくは共沸混合物様組成物を熱媒として使用する方法、消火または鎮火方法および共沸もしくは共沸混合物様組成物を誘電体として使用する方法がまた提供される。
【図面の簡単な説明】
【００１１】
【図１】Ｅ−ＨＦＯ−１４３８ｍｚｚとＨＦＣ−２４５ｅｂとの共沸組成物の約３１．８℃の温度でのグラフ図である。
【図２】Ｅ−ＨＣＦＯ−１２３３ｚｄとＨＦＣ−２４５ｅｂとの共沸組成物の約３４．６℃の温度でのグラフ図である。
【図３】Ｅ−ＨＣＦＯ−１２２４ｙｄとＨＦＣ−２４５ｅｂとの共沸組成物の約３１．７℃の温度でのグラフ図である。
【図４】Ｚ−ＨＦＯ−１３３６ｍｚｚとＨＦＣ−２４５ｅｂとの共沸混合物様組成物の約２５．８℃の温度でのグラフ図である。
【図５】Ｚ−ＨＦＯ−１３３６ｍｚｚとＥ−ＨＣＦＯ−１２２４ｙｄとの共沸混合物様組成物の約３１．８℃の温度でのグラフ図である。
【発明を実施するための形態】
【００１２】
多くの用途で、純粋な単一成分または共沸もしくは共沸混合物様混合物の使用が望ましい。例えば、発泡剤組成物（発泡体膨張剤または発泡体膨張組成物としても知られる）が純粋な単一成分または共沸もしくは共沸混合物様混合物でないとき、組成が発泡体形成プロセスでのその適用の間に変わる可能性がある。かかる組成の変化は、加工にひどい悪影響を及ぼすかまたはその適用で不十分な性能をもたらし得る。また、冷凍用途では、冷媒は、シャフトシール、ホース連結部、ハンダ付け接合部および破壊ラインでの漏洩によって運転中にしばしば失われる。加えて、冷媒は、冷凍設備の保全手順中に大気に放出される場合がある。冷媒が純粋な単一成分または共沸もしくは共沸混合物様組成物でない場合、冷媒組成は、冷凍設備から大気に漏洩するかまたは排出するときに変化する可能性がある。冷媒組成の変化により、冷媒が引火性になるかまたは不十分な冷凍性能を有するようになる。したがって、これらのおよび他の用途において共沸もしくは共沸混合物様混合物、例えば、Ｅ−１，１，１，４，４，５，５，５−オクタフルオロ−２−ペンテン（トランス−１，１，１，４，４，５，５，５−オクタフルオロ−２−ペンテン、Ｅ−ＣＦ３ＣＨ＝ＣＨＣＦ２ＣＦ３、トランス−ＣＦ３ＣＨ＝ＣＨＣＦ２ＣＦ３、Ｅ−ＨＦＯ−１４３８ｍｚｚ、トランス−ＨＦＯ−１４３８ｍｚｚ）と１，１，１，２，３−ペンタフルオロプロパン（ＣＦ３ＣＨＦＣＨ２Ｆ、ＨＦＣ−２４５ｅｂ）とを含有する共沸もしくは共沸混合物様混合物、Ｅ−１−クロロ−３，３，３−トリフルオロプロペン（Ｅ-ＣＦ３ＣＨ＝ＣＨＣｌ、トランス−１−クロロ−３，３，３−トリフルオロプロペン、Ｅ−ＨＣＦＯ−１２３３ｚｄ、トランス−ＨＣＦＯ−１２３３ｚｄ）と１，１，１，２，３−ペンタフルオロプロパン（ＣＦ３ＣＨＦＣＨ２Ｆ、ＨＦＣ−２４５ｅｂ）とを含有する共沸もしくは共沸混合物様混合物、Ｅ−１−クロロ−２，３，３，３−テトラフルオロプロペン（Ｅ−ＣＦ３ＣＦ＝ＣＨＣｌ、トランス−１−クロロ−２，３，３，３−テトラフルオロプロペン、Ｅ−ＨＣＦＯ−１２２４ｙｄ、トランス−ＨＣＦＯ−１２２４ｙｄ）と１，１，１，２，３−ペンタフルオロプロパン（ＣＦ３ＣＨＦＣＨ２Ｆ、ＨＦＣ−２４５ｅｂ）とを含有する共沸もしくは共沸混合物様混合物、Ｚ−１，１，１，４，４，４−ヘキサフルオロ−２−ブテン（Ｚ-ＣＦ３ＣＨ＝ＣＨＣＦ３、Ｚ−ＨＦＯ−１３３６ｍｚｚ、Ｚ−ＨＦＯ−１３３６ｍｚｚ）と１，１，１，２，３−ペンタフルオロプロパン（ＣＦ３ＣＨＦＣＨ２Ｆ、ＨＦＣ−２４５ｅｂ）とを含有する共沸もしくは共沸混合物様混合物、またはＺ−１，１，１，４，４，４−ヘキサフルオロ−２−ブテン（Ｚ-ＣＦ３ＣＨ＝ＣＨＣＦ３、Ｚ−ＦＣ−１３３６ｍｚｚ、Ｚ−ＨＦＯ−１３３６ｍｚｚ）とＥ−１−クロロ−２，３，３，３−テトラフルオロプロペン（Ｅ−ＣＦ３ＣＦ＝ＣＨＣｌ、Ｅ−ＨＣＦＯ−１２２４ｙｄ）とを含有する共沸もしくは共沸混合物様混合物を使用することが必要とされている。
【００１３】
以下に記載される実施形態の詳細を取り上げる前に、幾つかの用語が定義されるかまたは明確にされる。
【００１４】
ＨＦＯ−１４３８ｍｚｚは、２つの立体配置異性体、ＥまたはＺの１つとして存在してもよく、ＨＦＯ−１４３８ｍｚｚは、本明細書で用いるところでは、異性体、Ｚ−ＨＦＯ−１４３８ｍｚｚまたはＥ−ＨＦＯ−１４３８ｍｚｚ、ならびにかかる異性体の任意の組み合わせまたは混合物を意味する。ＨＣＦＯ−１２３３ｚｄは、２つの立体配置異性体、ＥまたはＺの１つとして存在してもよく、ＨＣＦＯ−１２３３ｚｄは、本明細書で用いるところでは、異性体、Ｚ−ＨＣＦＯ−１２３３ｚｄまたはＥ−ＨＣＦＯ−１２３３ｚｄ、ならびにかかる異性体の任意の組み合わせまたは混合物を意味する。ＨＣＦＯ−１２２４ｙｄは、２つの立体配置異性体、ＥまたはＺの１つとして存在してもよく、ＨＣＦＯ−１２２４ｙｄは、本明細書で用いるところでは、異性体、Ｚ−ＨＣＦＯ−１２２４ｙｄまたはＥ−ＨＣＦＯ−１２２４ｙｄ、ならびにかかる異性体の任意の組み合わせまたは混合物を意味する。ＨＦＯ−１３３６ｍｚｚは、２つの立体配置異性体、ＥまたはＺの１つとして存在してもよく、ＨＦＯ−１３３６ｍｚｚは、本明細書で用いるところでは、異性体、Ｚ−ＨＦＯ−１３３６ｍｚｚまたはＥ−ＨＦＯ−１３３６ｍｚｚ、ならびにかかる異性体の任意の組み合わせまたは混合物を意味する。
【００１５】
本明細書で用いるところでは、用語「含む（ｃｏｍｐｒｉｓｅｓ）」、「含む（ｃｏｍｐｒｉｓｉｎｇ）」、「含まれる（ｉｎｃｌｕｄｅｓ）」、「をはじめとする（ｉｎｃｌｕｄｉｎｇ）」、「有する（ｈａｓ）」、「有する（ｈａｖｉｎｇ）」またはそれらの任意の他の変形は、非排他的な包含をカバーすることを意図される。例えば、要素のリストを含むプロセス、方法、物品、もしくは装置は、それらの要素のみに必ずしも限定されず、明確にリストされないか、またはかかるプロセス、方法、物品、もしくは装置に固有である他の要素を含んでもよい。さらに、相反する記載がない限り、「または」は、包含的な「または」を意味し、そして排他的な「または」を意味しない。例えば、条件ＡまたはＢは、次のいずれか１つで満たされる：Ａは真であり（または存在し）かつＢは偽である（存在しない）、Ａは偽であり（または存在せず）かつＢは真である（または存在する）、およびＡおよびＢの両方とも真である（または存在する）。
【００１６】
同様に、単数形（「ａ」または「ａｎ」）の使用は、本明細書に記載される要素および成分を記載するために採用される。これは、便宜上および本発明の範囲の一般的な意味を与えるために行われるにすぎない。この記載は、１つまたは少なくとも１つを包含すると読まれるべきであり、そして単数はまた、それが複数ではないことを意味することが明確でない限り複数を包含する。
【００１７】
特に明確にされない限り、本明細書に用いられる全ての技術的および科学的用語は、本発明が属する技術の当業者によって一般に理解されるものと同じ意味を有する。本明細書に記載されるものに類似のまたは等価の方法および材料を本発明の実施形態の実施または試験に用いることができるが、好適な方法および材料は以下に記載される。本明細書に言及される全ての刊行物、特許出願、特許、および他の参考文献は、特に節が言及されない限り、全体が参照により援用される。矛盾が生じた場合には、定義をはじめとして、本明細書が優先される。加えて、材料、方法、および実施例は例示的であるにすぎず、限定的であることを意図されない。
【００１８】
量、濃度、または他の値もしくはパラメータが、範囲、好ましい範囲か好ましい上限値および／または好ましい下限値のリストとしてかのどちらかで与えられる場合、これは、範囲が別々に開示されているかどうかにかかわらず、任意の範囲上限もしくは好ましい値と任意の範囲下限もしくは好ましい値とのあらゆるペアから形成されるすべての範囲を具体的に開示するとして理解されるべきである。数値のある範囲が本明細書において列挙される場合、特に明記しない限り、この範囲は、それの終点、およびこの範囲内のすべての整数および分数を含むことを意図される。
【００１９】
Ｅ−ＨＦＯ−１４３８ｍｚｚは公知の化合物であり、その製造方法は、例えば、全体を参照により本明細書によって援用される、国際公開第２００８／０５７５３１３  Ａ１号パンフレットに開示されている。
【００２０】
Ｅ−ＨＣＦＯ−１２３３ｚｄは公知の化合物であり、その製造方法は、例えば、全体を参照により本明細書によって援用される、米国特許第５，７７７，１８４号明細書にＶａｎ  Ｄｅｒ  Ｐｕｙらによって開示されている。
【００２１】
Ｅ−ＨＣＦＯ−１２２４ｙｄは公知の化合物であり、ＨＣＦＣ−２３５ｃｂ（ＣＦ３ＣＦ２ＣＨ２Ｃｌ）の脱フッ化水素によって製造することができる。この製造方法は、例えば、全体を参照により本明細書によって援用される、米国特許出願公開第２０１０／００５１８５３号明細書にＲａｏらによって開示されている。脱フッ化水素触媒の存在下でのＣＨ２ＣｌＣＦ２ＣＦ３（ＨＣＦＣ−２３５ｃｂ）の脱フッ化水素は、例えば、米国特許出願公開第２０１０−００７６２３１号明細書に開示されている。
【００２２】
Ｚ−ＨＦＯ−１３３６ｍｚｚは公知の化合物であり、米国特許出願公開第２００８−０２６９５３２号明細書に開示されているなどの、リンドラー（Ｌｉｎｄｌａｒ）触媒および水素でのヘキサフルオロ−２−ブチンの選択的水素化によって製造することができる。
【００２３】
（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とから本質的になる組成物であって、成分（Ｂ）化合物が組成物中の成分（Ａ）化合物と共沸もしくは共沸混合物様組み合わせを形成するのに有効な量で組成物中に存在する組成物が注目すべきである。有効な量とは、成分（Ａ）化合物と組み合わせられたときに、共沸もしくは共沸混合物様混合物の形成をもたらす、成分（Ｂ）化合物の量を意味する。
【００２４】
本出願は、（ａ）Ｅ−ＨＦＯ−１４３８ｍｚｚと（ｂ）ＨＦＣ−２４５ｅｂとから本質的になる組成物であって、ＨＦＣ−２４５ｅｂがＥ−ＨＦＯ−１４３８ｍｚｚと共沸もしくは共沸混合物様混合物を形成するのに有効な量で存在する組成物を含む。有効な量とは、Ｅ−ＨＦＯ−１４３８ｍｚｚと組み合わせられたときに、共沸もしくは共沸混合物様混合物の形成をもたらす、ＨＦＣ−２４５ｅｂの量を意味する。
【００２５】
本出願は、（ａ）Ｅ−ＨＣＦＯ−１２３３ｚｄと（ｂ）ＨＦＣ−２４５ｅｂとから本質的になる組成物であって、ＨＦＣ−２４５ｅｂがＥ−ＨＣＦＯ−１２３３ｚｄと共沸もしくは共沸混合物様混合物を形成するのに有効な量で存在する組成物を含む。有効な量とは、Ｅ−ＨＣＦＯ−１２３３ｚｄと組み合わせられたときに、共沸もしくは共沸混合物様混合物の形成をもたらす、ＨＦＣ−２４５ｅｂの量を意味する。
【００２６】
本出願は、（ａ）Ｅ-ＨＣＦＯ−１２２４ｙｄと（ｂ）ＨＦＣ−２４５ｅｂとから本質的になる組成物であって、ＨＦＣ−２４５ｅｂがＥ-ＨＣＦＯ−１２２４ｙｄと共沸もしくは共沸混合物様混合物を形成するのに有効な量で存在する組成物を含む。有効な量とは、Ｅ-ＨＣＦＯ−１２２４ｙｄと組み合わせられたときに、共沸もしくは共沸混合物様混合物の形成をもたらす、ＨＦＣ−２４５ｅｂの量を意味する。
【００２７】
本出願は、（ａ）Ｚ-ＨＦＯ−１３３６ｍｚｚと（ｂ）ＨＦＣ−２４５ｅｂとから本質的になる組成物であって、ＨＦＣ−２４５ｅｂがＺ-ＨＦＯ−１３３６ｍｚｚと共沸混合物様混合物を形成するのに有効な量で存在する組成物を含む。有効な量とは、Ｚ−ＨＦＯ−１３３６ｍｚｚと組み合わせられたときに、共沸混合物様混合物の形成をもたらす、ＨＦＣ−２４５ｅｂの量を意味する。
【００２８】
本出願は、（ａ）Ｚ-ＨＦＯ−１３３６ｍｚｚと（ｂ）Ｅ−ＨＣＦＯ−１２２４ｙｄとから本質的になる組成物であって、Ｅ−ＨＣＦＯ−１２２４ｙｄがＺ-ＨＦＯ−１３３６ｍｚｚと共沸混合物様混合物を形成するのに有効な量で存在する組成物を含む。有効な量とは、Ｚ−ＨＦＯ−１３３６ｍｚｚと組み合わせられたときに、共沸混合物様混合物の形成をもたらす、Ｅ−ＨＣＦＯ−１２２４ｙｄの量を意味する。
【００２９】
これらの定義には、共沸もしくは共沸混合物様組成物が異なる圧力で、しかし可能性がある異なる沸点で存在し続ける限り、その量が組成物に加えられる圧力に依存して変わってもよい、各成分の量が含まれる。それ故、有効な量には、重量またはモル百分率で表され得る、本明細書に記載されるもの以外の温度または圧力で共沸もしくは共沸混合物様組成物を形成する本発明の組成物の各成分の量が含まれる。
【００３０】
当該技術分野で認められているように、共沸組成物は、２つ以上の異なる成分の混合剤であり、それは、所与の圧力下で液体形態にあるとき、実質的に一定温度で沸騰し、その温度は、個々の成分の沸騰温度より高いかまたは低くてもよく、かつ、それは沸騰中の全体液体組成と本質的に同一である蒸気組成を提供するであろう（例えば、Ｍ．Ｆ．Ｄｏｈｅｒｔｙ  ａｎｄ  Ｍ．Ｆ．Ｍａｌｏｎｅ、Ｃｏｎｃｅｐｔｕａｌ  Ｄｅｓｉｇｎ  ｏｆ  Ｄｉｓｔｉｌｌａｔｉｏｎ  Ｓｙｓｔｅｍｓ、ＭｃＧｒａｗ−Ｈｉｌｌ（Ｎｅｗ  Ｙｏｒｋ）、２００１年、１８５〜１８６、３５１〜３５９頁を参照されたい）。
【００３１】
従って、共沸組成物の本質的な特徴は、所与の圧力で、液体組成物の沸点が固定されていること、かつ、沸騰中の組成物の上方の蒸気の組成が本質的に、沸騰中の全体液体組成物の組成である（すなわち、液体組成物の成分の分留が全く起こらない）ことである。共沸組成物が異なる圧力で沸騰にかけられるときに、共沸組成物の各成分の沸点および重量百分率の両方が変わる場合があることもまた当該技術分野で認められている。従って、共沸組成物は、成分間に存在する特有の関係の観点からまたは成分の組成範囲の観点から、または指定圧力での固定沸点によって特徴付けられる組成物の各成分の正確な重量百分率の観点から定義されてもよい。
【００３２】
本発明の目的のためには、共沸混合物様組成物は、共沸組成物のように挙動する（すなわち、定沸点特性または沸騰もしくは蒸発時に分留しない傾向を有する）組成物を意味する。それ故に、沸騰もしくは蒸発中に、気液組成は、それらが仮に変化する場合でも、最小限の程度または無視できる程度しか変化しない。これは、沸騰もしくは蒸発中に、気液組成がかなりの程度変化する非共沸混合物様組成物と対比されるべきである。
【００３３】
さらに、共沸混合物様組成物は、実質的に圧力差なしの露点圧力および沸点圧力を示す。すなわち、所与の温度での露点圧力と沸点圧力との差は小さな値であろう。本発明では、（沸点圧力を基準として）５パーセント以下の露点圧力と沸点圧力との差の組成物は共沸混合物様であると考えられる。
【００３４】
あるシステムの相対揮発度が１．０に近づくときに、そのステムが共沸もしくは共沸混合物様組成物を形成すると定義されることはこの分野で認められている。相対揮発度は、成分１の揮発度対成分２の揮発度の比である。蒸気中のある成分のモル分率対液体中のそれの比がその成分の揮発度である。
【００３５】
任意の２つの化合物の相対揮発度を測定するために、ＰＴｘ法として知られる方法を用いることができる。気液平衡（ＶＬＥ）、それ故に相対揮発度は、等温的にかそれとも等圧的に測定することができる。等温法は、一定温度での既知組成の混合物の全圧の測定を必要とする。この手順では、既知容量のセルにおける全絶対圧力が２つの化合物の様々な組成について一定温度で測定される。等圧法は、一定圧力での既知組成の混合物の温度の測定を必要とする。この手順では、既知容量のセルにおける温度が２つの化合物の様々な組成について一定圧力で測定される。ＰＴｘ法の使用は、参照により本明細書によって援用される、Ｈａｒｏｌｄ  Ｒ．Ｎｕｌｌ著、「Ｐｈａｓｅ  Ｅｑｕｉｌｉｂｒｉｕｍ  ｉｎ  Ｐｒｏｃｅｓｓ  Ｄｅｓｉｇｎ」、Ｗｉｌｅｙ−Ｉｎｔｅｒｓｃｉｅｎｃｅ  Ｐｕｂｌｉｓｈｅｒ、１９７０年、１２４〜１２６頁に詳細に記載されている。
【００３６】
これらの測定値は、液相非理想を表すための、非ランダム２液体（Ｎｏｎ−Ｒａｎｄｏｍ、Ｔｗｏ−Ｌｉｑｕｉｄ）（ＮＲＴＬ）方程式などの、活量係数方程式モデルを用いることによってＰＴｘセルにおける平衡気液組成へ換算することができる。ＮＲＴＬ方程式などの、滑量係数方程式の使用は、Ｒｅｉｄ、Ｐｒａｕｓｎｉｔｚ  ａｎｄ  Ｐｏｌｉｎｇ著、「Ｔｈｅ  Ｐｒｏｐｅｒｔｉｅｓ  ｏｆ  Ｇａｓｅｓ  ａｎｄ  Ｌｉｑｕｉｄｓ」、第４版、ＭｃＧｒａｗ  Ｈｉｌｌ、２４１〜３８７頁に、ならびにＳｔａｎｌｅｙ  Ｍ．Ｗａｌａｓ著、「Ｐｈａｓｅ  Ｅｑｕｉｌｉｂｒｉａ  ｉｎ  Ｃｈｅｍｉｃａｌ  Ｅｎｇｉｎｅｅｒｉｎｇ」、Ｂｕｔｔｅｒｗｏｒｔｈ  Ｐｕｂｌｉｓｈｅｒｓ、１９８５年、１６５〜２４４頁に詳細に記載されている。前述の両参考文献は参照により本明細書によって援用される。いかなる理論または説明にも制約されることなく、ＰＴｘセルデータと一緒に、ＮＲＴＬ方程式は本発明の組成物（例えば、Ｅ−ＨＦＯ−１４３８ｍｚｚ／ＨＦＣ−２４５ｅｂ組成物、Ｅ−ＨＣＦＯ−１２３３ｚｄ／ＨＦＣ−２４５ｅｂ組成物、Ｅ−ＨＣＦＯ−１２２４ｙｄ／ＨＦＣ−２４５ｅｂ組成物、Ｚ−ＨＦＯ−１３３６ｍｚｚ／ＨＦＣ−２４５ｅｂ組成物、または、場合によっては、Ｚ−ＨＦＯ−１３３６ｍｚｚ／Ｅ−ＨＣＦＯ−１２２４ｙｄ組成物）の相対揮発度を十分に予測することができ、かつ、蒸留塔などの多段階分離設備におけるこれらの混合物の挙動をそれ故に予測することができると考えられる。
【実施例】
【００３７】
Ａ．
実験によって、Ｅ−ＨＦＯ−１４３８ｍｚｚとＨＦＣ−２４５ｅｂとは共沸組成物を形成することが分かった。
【００３８】
この２成分ペアの相対揮発度を測定するために、上記のＰＴｘ法が用いられた。様々な２成分組成について、既知容量のＰＴｘセルにおける温度が一定圧力で測定された。これらの測定値は次に、ＮＲＴＬ方程式を用いてセルにおける平衡気液組成に変換された。
【００３９】
Ｅ−ＨＦＯ−１４３８ｍｚｚ／ＨＦＣ−２４５ｅｂ混合物についてＰＴｘセルにおける測定温度対組成が図１に示され、図１は、約３１．８℃で組成の範囲にわたって最高圧力（２１．７ｐｓｉａ（１５０ｋＰａ））を有する約２３．８モル％のＥ−ＨＦＯ−１４３８ｍｚｚと７６．２モル％のＨＦＣ−２４５ｅｂとの混合物で示されるように、Ｅ−ＨＦＯ−１４３８ｍｚｚとＨＦＣ−２４５ｅｂとから本質的になる共沸組成物の形成をグラフで例示する。これらの結果に基づき、Ｅ−ＨＦＯ−１４３８ｍｚｚとＨＦＣ−２４５ｅｂとは約３．９モルパーセント〜約２４．１モルパーセントのＥ−ＨＦＯ−１４３８ｍｚｚおよび約９６．１モルパーセント〜約７５．９モルパーセントのＨＦＣ−２４５ｅｂの範囲の共沸組成物を形成する（それらは約−４０℃〜約１４０℃の温度でおよび約０．５９ｐｓｉａ（４．１ｋＰａ）〜約３４６ｐｓｉａ（２３８６ｋＰａ）の圧力で沸騰する共沸組成物を形成する）と計算された。例えば、２０．０℃および１３．９ｐｓｉａ（９７ｋＰａ）で、共沸組成物は２４．１モル％のＥ−ＨＦＯ−１４３８ｍｚｚと７５．９モル％のＨＦＣ−２４５ｅｂとから本質的になる。別の例については、２１．５℃および大気圧（１４．７ｐｓｉａ、１０１ｋＰａ）で、共沸組成物は２４．１モル％のＥ−ＨＦＯ−１４３８ｍｚｚと７５．９モル％のＨＦＣ−２４５ｅｂとから本質的になる。別の例については、１４０．０℃および３４６ｐｓｉａ（２３８６ｋＰａ）で、共沸組成物は３．９モル％のＥ−ＨＦＯ−１４３８ｍｚｚと９６．１モル％のＨＦＣ−２４５ｅｂとから本質的になる。共沸組成物の幾つかの追加の実施形態を表１に示す。
【００４０】
【表１】
2014504675.tif 000003
【００４１】
さらに、Ｅ−ＨＦＯ−１４３８ｍｚｚとＨＦＣ−２４５ｅｂとを含有する共沸混合物様組成物もまた形成され得る。計算によれば、１〜９９モル％のＥ−ＨＦＯ−１４３８ｍｚｚと９９〜１モル％のＨＦＣ−２４５ｅｂとから本質的になる共沸混合物様組成物は、約−４０℃〜約１２０℃の範囲の温度で形成される（すなわち、この温度範囲にわたって、特定の温度での露点圧力と沸点圧力との差は（沸点圧力を基準として）５パーセント以下である）。
【００４２】
かかる共沸混合物様組成物は、共沸組成物の周りに存在する。共沸混合物様組成物の幾つかの実施形態を表２に示す。共沸混合物様組成物の幾つかの追加の実施形態を表３に示す。
【００４３】
【表２】
2014504675.tif 000004
【００４４】
【表３】
2014504675.tif 000005
【００４５】
Ｂ．
実験によって、Ｅ−ＨＣＦＯ−１２３３ｚｄとＨＦＣ−２４５ｅｂとは共沸組成物を形成することが分かった。
【００４６】
この２成分ペアの相対揮発度を測定するために、上記のＰＴｘ法が用いられた。様々な２成分組成について、既知容量のＰＴｘセルにおける温度が一定圧力で測定された。これらの測定値は次に、ＮＲＴＬ方程式を用いてセルにおける平衡気液組成に変換された。
【００４７】
Ｅ−ＨＣＦＯ−１２３３ｚｄ／ＨＦＣ−２４５ｅｂ混合物についてＰＴｘセルにおける測定温度対組成が図２に示され、図２は、約３４．６℃で組成の範囲にわたって最高圧力を有する約６３．１モル％のＥ−ＨＣＦＯ−１２３３ｚｄと３６．９モル％のＨＦＣ−２４５ｅｂとの混合物で示されるように、Ｅ−ＨＣＦＯ−１２３３ｚｄとＨＦＣ−２４５ｅｂとから本質的になる共沸組成物の形成をグラフで例示する。これらの結果に基づき、Ｅ−ＨＣＦＯ−１２３３ｚｄとＨＦＣ−２４５ｅｂとは約４６．８モルパーセント〜約７４．４モルパーセントのＥ−ＨＣＦＯ−１２３３ｚｄおよび約５３．２モルパーセント〜約２５．６モルパーセントのＨＦＣ−２４５ｅｂの範囲の共沸組成物を形成する（それらは約−４０℃〜約１４０℃の温度でおよび約０．７８ｐｓｉａ（５．３８ｋＰａ）〜約３８４ｐｓｉａ（２６４８ｋＰａ）の圧力で沸騰する共沸組成物を形成する）と計算された。例えば、２０．０℃および１６．５ｐｓｉａ（１１４ｋＰａ）で、共沸組成物は６７．６モル％のＥ−ＨＣＦＯ−１２３３ｚｄと３２．４モル％のＨＦＣ−２４５ｅｂとから本質的になる。別の例については、１４０．０℃および３８４ｐｓｉａ（２６４８ｋＰａ）で、共沸組成物は５７．３モル％のＥ−ＨＣＦＯ−１２３３ｚｄと４２．７モル％のＨＦＣ−２４５ｅｂとから本質的になる。別の例については、１６．９℃および大気圧（１４．７ｐｓｉａ、１０１ｋＰａ）で、共沸組成物は６８．５モル％のＥ−ＨＣＦＯ−１２３３ｚｄと３１．５モル％のＨＦＣ−２４５ｅｂとから本質的になる。共沸組成物の幾つかの実施形態を表４に示す。
【００４８】
【表４】
2014504675.tif 000006
【００４９】
さらに、Ｅ−ＨＣＦＯ−１２３３ｚｄとＨＦＣ−２４５ｅｂとを含有する共沸混合物様組成物もまた形成され得る。計算によれば、１〜９９モル％のＥ−ＨＣＦＯ−１２３３ｚｄと９９〜１モル％のＨＦＣ−２４５ｅｂとから本質的になる共沸混合物様組成物は、約−４０℃〜約１４０℃の範囲の温度で形成される（すなわち、この温度範囲にわたって、特定の温度での露点圧力と沸点圧力との差は（沸点圧力を基準として）５パーセント以下である）。
【００５０】
かかる共沸混合物様組成物は、共沸組成物の周りに存在する。共沸混合物様組成物の幾つかの実施形態を表５に示す。共沸混合物様組成物の幾つかの追加の実施形態を表６に示す。
【００５１】
【表５】
2014504675.tif 000007
【００５２】
【表６】
2014504675.tif 000008
【００５３】
Ｃ．
実験によって、Ｅ−ＨＣＦＯ−１２２４ｙｄとＨＦＣ−２４５ｅｂとは共沸組成物を形成することが分かった。
【００５４】
この２成分ペアの相対揮発度を測定するために、上記のＰＴｘ法が用いられた。様々な２成分組成について、既知容量のＰＴｘセルにおける温度が一定圧力で測定された。これらの測定値は次に、ＮＲＴＬ方程式を用いてセルにおける平衡気液組成に変換された。
【００５５】
Ｅ−ＨＣＦＯ−１２２４ｙｄ／ＨＦＣ−２４５ｅｂ混合物についてＰＴｘセルにおける測定温度対組成が図３に示され、図３は、約３１．７℃で組成の範囲にわたって最高圧力を有する約７８．８モル％のＥ−ＨＣＦＯ−１２２４ｙｄと２１．２モル％のＨＦＣ−２４５ｅｂとの混合物で示されるように、Ｅ−ＨＣＦＯ−１２２４ｙｄとＨＦＣ−２４５ｅｂとから本質的になる共沸組成物の形成をグラフで例示する。これらの結果に基づき、Ｅ−ＨＣＦＯ−１２２４ｙｄとＨＦＣ−２４５ｅｂとは約６５．６モルパーセント〜約８６．７モルパーセントのＥ−ＨＣＦＯ−１２２４ｙｄおよび約３４．４モルパーセント〜約１３．３モルパーセントのＨＦＣ−２４５ｅｂの範囲の共沸組成物を形成する（それらは約−４０℃〜約１３０℃の温度でおよび約０．９８ｐｓｉａ（６．７６ｋＰａ）〜約３３３ｐｓｉａ（２２９６ｋＰａ）の圧力で沸騰する共沸組成物を形成する）と計算された。例えば、２０．０℃および１８．８ｐｓｉａ（１３０ｋＰａ）で、共沸組成物は８１．４モル％のＥ−ＨＣＦＯ−１２２４ｙｄと１８．６モル％のＨＦＣ−２４５ｅｂとから本質的になる。別の例については、１３．４℃および大気圧（１４．７ｐｓｉａ、１０１ｋＰａ）で、共沸組成物は８２．７モル％のＥ−ＨＣＦＯ−１２２４ｙｄと１７．３モル％のＨＦＣ−２４５ｅｂとから本質的になる。共沸組成物の幾つかの実施形態を表７に示す。
【００５６】
【表７】
2014504675.tif 000009
【００５７】
さらに、Ｅ−ＨＣＦＯ−１２２４ｙｄとＨＦＣ−２４５ｅｂとを含有する共沸混合物様組成物もまた形成され得る。計算によれば、１〜９９モル％のＥ−ＨＣＦＯ−１２２４ｙｄと９９〜１モル％のＨＦＣ−２４５ｅｂとから本質的になる共沸混合物様組成物は、約−４０℃〜約１２０℃の範囲の温度で形成される（すなわち、この温度範囲にわたって、特定の温度での露点圧力と沸点圧力との差は（沸点圧力を基準として）５パーセント以下である）。
【００５８】
かかる共沸混合物様組成物は、共沸組成物の周りに存在する。共沸混合物様組成物の幾つかの実施形態を表８に示す。共沸混合物様組成物の幾つかの追加の実施形態を表９に示す。
【００５９】
【表８】
2014504675.tif 000010
【００６０】
【表９】
2014504675.tif 000011
【００６１】
Ｄ．
実験によって、Ｚ−ＨＦＯ−１３３６ｍｚｚとＨＦＣ−２４５ｅｂとは共沸混合物様組成物を形成することが分かった。
【００６２】
この２成分ペアの相対揮発度を測定するために、上記のＰＴｘ法が用いられた。様々な２成分組成について、既知容量のＰＴｘセルにおける圧力が一定温度で測定された。これらの測定値は次に、ＮＲＴＬ方程式を用いてセルにおける平衡気液組成に変換された。
【００６３】
Ｚ−ＨＦＯ−１３３６ｍｚｚ／ＨＦＣ−２４５ｅｂ混合物についてＰＴｘセルにおける測定圧力対組成が図４に示され、図４は、約２５．８℃で１〜９９モル％のＺ−ＨＦＯ−１３３６ｍｚｚと９９〜１モル％のＨＦＣ−２４５ｅｂとから本質的になる共沸混合物様組成物の形成をグラフで例示する。計算によれば、１〜９９モル％のＺ−ＨＦＯ−１３３６ｍｚｚと９９〜１モル％のＨＦＣ−２４５ｅｂとから本質的になる共沸混合物様組成物が約−４０℃〜約１４０℃の範囲の温度で形成される（すなわち、この温度範囲にわたって、特定の温度での組成物の露点圧力と沸点圧力との差は（沸点圧力を基準として）５パーセント以下である）。
【００６４】
共沸混合物様組成物の幾つかの実施形態を表１０に示す。共沸混合物様組成物の幾つかの追加の実施形態を表１１に示す。
【００６５】
【表１０】
2014504675.tif 000012
【００６６】
【表１１】
2014504675.tif 000013
【００６７】
Ｅ．
実験によって、Ｚ−ＨＦＯ−１３３６ｍｚｚとＥ−ＨＣＦＯ−１２２４ｙｄとは共沸混合物様組成物を形成することが分かった。
【００６８】
この２成分ペアの相対揮発度を測定するために、上記のＰＴｘ法が用いられた。様々な２成分組成について、既知容量のＰＴｘセルにおける圧力が一定温度で測定された。これらの測定値は次に、ＮＲＴＬ方程式を用いてセルにおける平衡気液組成に変換された。
【００６９】
Ｚ−ＨＦＯ−１３３６ｍｚｚ／Ｅ−ＨＣＦＯ−１２２４ｙｄ混合物についてＰＴｘセルにおける測定圧力対組成が図５に示され、図５は、約１〜２２モル％のＺ−ＨＦＯ−１３３６ｍｚｚと約９９〜７８モル％のＥ−ＨＣＦＯ−１２２４ｙｄとの混合物、および約９３〜９９モル％のＺ−ＨＦＯ−１３３６ｍｚｚと約７〜１モル％のＥ−ＨＣＦＯ−１２２４ｙｄとの混合物によって示されるように、３１．８℃でＺ−ＨＦＯ−１３３６ｍｚｚとＥ−ＨＣＦＯ−１２２４ｙｄとの共沸混合物様組成物の形成をグラフで例示する。計算によれば、１〜９９モル％のＺ−ＨＦＯ−１３３６ｍｚｚと９９〜１モル％のＥ−ＨＣＦＯ−１２２４ｙｄとから本質的になる共沸混合物様組成物は、約−４０℃〜約１４０℃の範囲の温度で形成される（すなわち、この温度範囲にわたって、特定の温度での組成物の露点圧力と沸点圧力との差は（沸点圧力を基準として）５パーセント以下である）。
【００７０】
共沸混合物様組成物の幾つかの実施形態を表１２に示す。共沸混合物様組成物の幾つかの追加の実施形態を表１３に示す。
【００７１】
【表１２】
2014504675.tif 000014
【００７２】
【表１３】
2014504675.tif 000015
【００７３】
本発明の共沸もしくは共沸混合物様組成物は、所望の量の混合または組み合わせをはじめとする任意の従来の方法によって調製することができる。本発明の一実施形態では、共沸もしくは共沸混合物様組成物は、所望の成分量を秤量し、その後適切な容器でそれらを組み合わせることによって調製することができる。
【００７４】
本発明の共沸もしくは共沸混合物様組成物は、エアゾール噴射剤、冷媒、溶媒、クリーニング剤、熱可塑性および熱硬化性発泡体用の発泡剤（発泡体膨張剤）、熱媒、ガス状誘電体、消火剤および鎮火剤、動力サイクル作動流体、重合媒体、微粒子除去流体、キャリア流体、バフ研磨剤、および置換乾燥剤としてのそれらの使用をはじめとする、広範囲の用途に使用することができる。（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とから本質的になる共沸もしくは共沸混合物様組成物が本発明に従って提供される。かかる用途でのこれらの共沸もしくは共沸混合物様組成物の使用が注目すべきである。Ｅ−ＨＦＯ−１４３８ｍｚｚとＨＦＣ−２４５ｅｂとから本質的になる、Ｅ−ＨＣＦＯ−１２３３ｚｄとＨＦＣ−２４５ｅｂとから本質的になる、Ｅ−ＨＣＦＯ−１２２４ｙｄとＨＦＣ−２４５ｅｂとから本質的になる、Ｚ-ＨＦＯ−１３３６ｍｚｚとＨＦＣ−２４５ｅｂとから本質的になる、またはＺ−ＨＦＯ−１３３６ｍｚｚとＥ−ＨＣＦＯ−１２２４ｙｄとから本質的になるかかる組成物が注目すべきである。
【００７５】
本発明の一実施形態は、熱可塑性または熱硬化性発泡体の製造方法を提供する。本方法は、共沸もしくは共沸混合物様組成物を発泡剤として使用する工程を含み、ここで、前記共沸もしくは共沸混合物様組成物は、（（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とから本質的になる。
【００７６】
本発明の別の実施形態は、冷却を行うための方法を提供する。本方法は、共沸もしくは共沸混合物様組成物を凝縮させる工程と、その後冷却されるべき本体の近くで前記共沸もしくは共沸混合物様組成物を蒸発させる工程とを含み、ここで、前記共沸もしくは共沸混合物様組成物は、（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とから本質的になる。
【００７７】
本発明の別の実施形態は、共沸もしくは共沸混合物様組成物を溶媒として使用する工程を含む方法であって、前記共沸もしくは共沸混合物様組成物が、（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とから本質的になる方法を提供する。
【００７８】
本発明の別の実施形態は、エアゾール製品の製造方法を提供する。本方法は、共沸もしくは共沸混合物様組成物を噴射剤として使用する工程を含み、ここで、前記共沸もしくは共沸混合物様組成物は、（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とから本質的になる。
【００７９】
本発明の別の実施形態は、共沸もしくは共沸混合物様組成物を熱媒として使用する方法であって、前記共沸もしくは共沸混合物様組成物が、（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とから本質的になる方法を提供する。
【００８０】
本発明の別の実施形態は、消火または鎮火方法を提供する。本方法は、共沸もしくは共沸混合物様組成物を消火剤または鎮火剤として使用する工程を含み、ここで、前記共沸もしくは共沸混合物様組成物は、（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とから本質的になる。
【００８１】
本発明の別の実施形態は、共沸もしくは共沸混合物様組成物を誘電体として使用する方法であって、前記共沸もしくは共沸混合物様組成物が、（Ａ）式ＣＦ３ＣＸ＝ＣＨＲａ（ここで、ＸはＨまたはＦであり、ＲａはＣＦ３ＣＦ２、ＣＦ３またはＣｌである、ただし、（ｉ）ＸがＦであるとき、ＲａはＣｌであり、（ｉｉ）ＲａがＣＦ３ＣＦ２またはＣｌであるとき、式ＣＦ３ＣＸ＝ＣＨＲａの化合物はＥ立体配置異性体であり、かつ（ｉｉｉ）ＲａがＣＦ３であるとき、式ＣＦ３ＣＸ＝ＣＨＲａの化合物はＺ立体配置異性体である）の化合物と、（Ｂ）式ＣＦ３Ｒｂ（ここで、ＲｂはＣＨＦＣＨ２ＦまたはＣＨ＝ＣＨＣＦ３である、ただし、ＲｂがＣＨ＝ＣＨＣＦ３であるとき、ＸはＦであり、式ＣＦ３Ｒｂの化合物はＺ立体配置異性体である）の化合物とから本質的になる方法を提供する。
【００８２】
上記の熱可塑性または熱硬化性発泡体の製造方法、冷却を行うための方法、共沸もしくは共沸混合物様組成物を溶媒として使用する方法、エアゾール製品の製造方法、共沸もしくは共沸混合物様組成物を熱媒として使用する方法、消火または鎮火方法および共沸もしくは共沸混合物様組成物を誘電体として使用する方法の実施形態であって、共沸もしくは共沸混合物様組成物が、Ｅ−ＨＦＯ−１４３８ｍｚｚとＨＦＣ−２４５ｅｂとから本質的になる、Ｅ−ＨＣＦＯ−１２３３ｚｄとＨＦＣ−２４５ｅｂとから本質的になる、Ｅ−ＨＣＦＯ−１２２４ｙｄとＨＦＣ−２４５ｅｂとから本質的になる、Ｚ−ＨＦＯ−１３３６ｍｚｚとＨＦＣ−２４５ｅｂとから本質的になる、またはＺ−ＨＦＯ−１３３６ｍｚｚとＥ−ＨＣＦＯ−１２２４ｙｄとから本質的になる実施形態が注目すべきである。
【００８３】
選択される実施形態
実施形態Ａ１。（ａ）Ｅ−１，１，１，４，４，５，５，５−オクタフルオロ−２−ペンテンと、
（ｂ）１，１，１，２，３−ペンタフルオロプロパンと
から本質的になる組成物であって、１，１，１，２，３−ペンタフルオロプロパンがＥ−１，１，１，４，４，５，５，５−オクタフルオロ−２−ペンテンと共沸組み合わせを形成するのに有効な量で存在する組成物。
【００８４】
実施形態Ａ２。（ａ）Ｅ−１，１，１，４，４，５，５，５−オクタフルオロ−２−ペンテンと、
（ｂ）１，１，１，２，３−ペンタフルオロプロパンと
から本質的になる組成物であって、１，１，１，２，３−ペンタフルオロプロパンがＥ−１，１，１，４，４，５，５，５−オクタフルオロ−２−ペンテンと共沸混合物様組み合わせを形成するのに有効な量で存在する組成物。
【００８５】
実施形態Ａ３。共沸もしくは共沸混合物様組成物を発泡剤として使用する工程を含む熱可塑性または熱硬化性発泡体の製造方法であって、前記共沸もしくは共沸混合物様組成物が、Ｅ−１，１，１，４，４，５，５，５−オクタフルオロ−２−ペンテンと１，１，１，２，３−ペンタフルオロプロパンとから本質的になる方法。
【００８６】
実施形態Ａ４。共沸もしくは共沸混合物様組成物を凝縮させる工程と、その後冷却されるべき本体の近くで前記共沸もしくは共沸混合物様組成物を蒸発させる工程とを含む冷却を行うための方法であって、前記共沸もしくは共沸混合物様組成物が、Ｅ−１，１，１，４，４，５，５，５−オクタフルオロ−２−ペンテンと１，１，１，２，３−ペンタフルオロプロパンとから本質的になる方法。
【００８７】
実施形態Ａ５。共沸もしくは共沸混合物様組成物を溶媒として使用する工程を含む方法であって、前記共沸もしくは共沸混合物様組成物が、Ｅ−１，１，１，４，４，５，５，５−オクタフルオロ−２−ペンテンと１，１，１，２，３−ペンタフルオロプロパンとから本質的になる方法。
【００８８】
実施形態Ａ６。共沸もしくは共沸混合物様組成物を噴射剤として使用する工程を含むエアゾール製品の製造方法であって、前記共沸もしくは共沸混合物様組成物が、Ｅ−１，１，１，４，４，５，５，５−オクタフルオロ−２−ペンテンと１，１，１，２，３−ペンタフルオロプロパンとから本質的になる方法。
【００８９】
実施形態Ａ７。共沸もしくは共沸混合物様組成物を熱媒として使用する工程を含む方法であって、前記共沸もしくは共沸混合物様組成物が、Ｅ−１，１，１，４，４，５，５，５−オクタフルオロ−２−ペンテンと１，１，１，２，３−ペンタフルオロプロパンとから本質的になる方法。
【００９０】
実施形態Ａ８。共沸もしくは共沸混合物様組成物を消火剤または鎮火剤として使用する工程を含む消火または鎮火方法であって、前記共沸もしくは共沸混合物様組成物が、Ｅ−１，１，１，４，４，５，５，５−オクタフルオロ−２−ペンテンと１，１，１，２，３−ペンタフルオロプロパンとから本質的になる方法。
【００９１】
実施形態Ａ９。共沸もしくは共沸混合物様組成物を誘電体として使用する工程を含む方法であって、前記共沸もしくは共沸混合物様組成物が、Ｅ−１，１，１，４，４，５，５，５−オクタフルオロ−２−ペンテンと１，１，１，２，３−ペンタフルオロプロパンとから本質的になる方法。
【００９２】
実施形態Ｂ１。（ａ）Ｅ−１−クロロ−３，３，３−トリフルオロプロペンと、
（ｂ）１，１，１，２，３−ペンタフルオロプロパンと
から本質的になる組成物であって、１，１，１，２，３−ペンタフルオロプロパンがＥ−１−クロロ−３，３，３−トリフルオロプロペンと共沸組み合わせを形成するのに有効な量で存在する組成物。
【００９３】
実施形態Ｂ２。（ａ）Ｅ−１−クロロ−３，３，３−トリフルオロプロペンと、
（ｂ）１，１，１，２，３−ペンタフルオロプロパンと
から本質的になる組成物であって、１，１，１，２，３−ペンタフルオロプロパンがＥ−１−クロロ−３，３，３−トリフルオロプロペンと共沸混合物様組み合わせを形成するのに有効な量で存在する組成物。
【００９４】
実施形態Ｂ３。共沸もしくは共沸混合物様組成物を発泡剤として使用する工程を含む熱可塑性または熱硬化性発泡体の製造方法であって、前記共沸もしくは共沸混合物様組成物が、Ｅ−１−クロロ−３，３，３−トリフルオロプロペンと１，１，１，２，３−ペンタフルオロプロパンとから本質的になる方法。
【００９５】
実施形態Ｂ４。共沸もしくは共沸混合物様組成物を凝縮させる工程と、その後冷却されるべき本体の近くで前記共沸もしくは共沸混合物様組成物を蒸発させる工程とを含む冷却を行うための方法であって、前記共沸もしくは共沸混合物様組成物が、Ｅ−１−クロロ−３，３，３−トリフルオロプロペンと１，１，１，２，３−ペンタフルオロプロパンとから本質的になる方法。
【００９６】
実施形態Ｂ５。共沸もしくは共沸混合物様組成物を溶媒として使用する工程を含む方法であって、前記共沸もしくは共沸混合物様組成物が、Ｅ−１−クロロ−３，３，３−トリフルオロプロペンと１，１，１，２，３−ペンタフルオロプロパンとから本質的になる方法。
【００９７】
実施形態Ｂ６。共沸もしくは共沸混合物様組成物を噴射剤として使用する工程を含むエアゾール製品の製造方法であって、前記共沸もしくは共沸混合物様組成物が、Ｅ−１−クロロ−３，３，３−トリフルオロプロペンと１，１，１，２，３−ペンタフルオロプロパンとから本質的になる方法。
【００９８】
実施形態Ｂ７。共沸もしくは共沸混合物様組成物を熱媒として使用する工程を含む方法であって、前記共沸もしくは共沸混合物様組成物が、Ｅ−１−クロロ−３，３，３−トリフルオロプロペンと１，１，１，２，３−ペンタフルオロプロパンとから本質的になる方法。
【００９９】
実施形態Ｂ８。共沸もしくは共沸混合物様組成物を消火剤または鎮火剤として使用する工程を含む消火または鎮火方法であって、前記共沸もしくは共沸混合物様組成物が、Ｅ−１−クロロ−３，３，３−トリフルオロプロペンと１，１，１，２，３−ペンタフルオロプロパンとから本質的になる方法。
【０１００】
実施形態Ｂ９。共沸もしくは共沸混合物様組成物を誘電体として使用する工程を含む方法であって、前記共沸もしくは共沸混合物様組成物が、Ｅ−１−クロロ−３，３，３−トリフルオロプロペンと１，１，１，２，３−ペンタフルオロプロパンとから本質的になる方法。
【０１０１】
実施形態Ｃ１。（ａ）Ｅ−１−クロロ−２，３，３，３−テトラフルオロプロペンと、
（ｂ）１，１，１，２，３−ペンタフルオロプロパンと
から本質的になる組成物であって、１，１，１，２，３−ペンタフルオロプロパンがＥ−１−クロロ−２，３，３，３−テトラフルオロプロペンと共沸組み合わせを形成するのに有効な量で存在する組成物。
【０１０２】
実施形態Ｃ２。（ａ）Ｅ−１−クロロ−２，３，３，３−テトラフルオロプロペンと、
（ｂ）１，１，１，２，３−ペンタフルオロプロパンと
から本質的になる組成物であって、１，１，１，２，３−ペンタフルオロプロパンがＥ−１−クロロ−２，３，３，３−テトラフルオロプロペンと共沸混合物様組み合わせを形成するのに有効な量で存在する組成物。
【０１０３】
実施形態Ｃ３。共沸もしくは共沸混合物様組成物を発泡剤として使用する工程を含む熱可塑性または熱硬化性発泡体の製造方法であって、前記共沸もしくは共沸混合物様組成物が、Ｅ−１−クロロ−２，３，３，３−テトラフルオロプロペンと１，１，１，２，３−ペンタフルオロプロパンとから本質的になる方法。
【０１０４】
実施形態Ｃ４。共沸もしくは共沸混合物様組成物を凝縮させる工程と、その後冷却されるべき本体の近くで前記共沸もしくは共沸混合物様組成物を蒸発させる工程とを含む冷却を行うための方法であって、前記共沸もしくは共沸混合物様組成物が、Ｅ−１−クロロ−２，３，３，３−テトラフルオロプロペンと１，１，１，２，３−ペンタフルオロプロパンとから本質的になる方法。
【０１０５】
実施形態Ｃ５。共沸もしくは共沸混合物様組成物を溶媒として使用する工程を含む方法であって、前記共沸もしくは共沸混合物様組成物が、Ｅ−１−クロロ−２，３，３，３−テトラフルオロプロペンと１，１，１，２，３−ペンタフルオロプロパンとから本質的になる方法。
【０１０６】
実施形態Ｃ６。共沸もしくは共沸混合物様組成物を噴射剤として使用する工程を含むエアゾール製品の製造方法であって、前記共沸もしくは共沸混合物様組成物が、Ｅ−１−クロロ−２，３，３，３−テトラフルオロプロペンと１，１，１，２，３−ペンタフルオロプロパンとから本質的になる方法。
【０１０７】
実施形態Ｃ７。共沸もしくは共沸混合物様組成物を熱媒として使用する工程を含む方法であって、前記共沸もしくは共沸混合物様組成物が、Ｅ−１−クロロ−２，３，３，３−テトラフルオロプロペンと１，１，１，２，３−ペンタフルオロプロパンとから本質的になる方法。
【０１０８】
実施形態Ｃ８。共沸もしくは共沸混合物様組成物を消火剤または鎮火剤として使用する工程を含む消火または鎮火方法であって、前記共沸もしくは共沸混合物様組成物が、Ｅ−１−クロロ−２，３，３，３−テトラフルオロプロペンと１，１，１，２，３−ペンタフルオロプロパンとから本質的になる方法。
【０１０９】
実施形態Ｃ９。共沸もしくは共沸混合物様組成物を誘電体として使用する工程を含む方法であって、前記共沸もしくは共沸混合物様組成物が、Ｅ−１−クロロ−２，３，３，３−テトラフルオロプロペンと１，１，１，２，３−ペンタフルオロプロパンとから本質的になる方法。
【０１１０】
実施形態Ｄ１。（ａ）Ｚ−１，１，１，４，４，４−ヘキサフルオロ−２−ブテンと、
（ｂ）１，１，１，２，３−ペンタフルオロプロパンと
から本質的になる組成物であって、１，１，１，２，３−ペンタフルオロプロパンがＺ−１，１，１，４，４，４−ヘキサフルオロ−２−ブテンと共沸混合物様組み合わせを形成するのに有効な量で存在する組成物。
【０１１１】
実施形態Ｄ２。共沸混合物様組成物を発泡剤として使用する工程を含む熱可塑性または熱硬化性発泡体の製造方法であって、前記共沸混合物様組成物が、Ｚ−１，１，１，４，４，４−ヘキサフルオロ−２−ブテンと１，１，１，２，３−ペンタフルオロプロパンとから本質的になる方法。
【０１１２】
実施形態Ｄ３。共沸混合物様組成物を凝縮させる工程と、その後冷却されるべき本体の近くで前記共沸混合物様組成物を蒸発させる工程とを含む冷却を行うための方法であって、前記共沸混合物様組成物が、Ｚ−１，１，１，４，４，４−ヘキサフルオロ−２−ブテンと１，１，１，２，３−ペンタフルオロプロパンとから本質的になる方法。
【０１１３】
実施形態Ｄ４。共沸混合物様組成物を溶媒として使用する工程を含む方法であって、前記共沸混合物様組成物が、Ｚ−１，１，１，４，４，４−ヘキサフルオロ−２−ブテンと１，１，１，２，３−ペンタフルオロプロパンとから本質的になる方法。
【０１１４】
実施形態Ｄ５。共沸混合物様組成物を噴射剤として使用する工程を含むエアゾール製品の製造方法であって、前記共沸混合物様組成物が、Ｚ−１，１，１，４，４，４−ヘキサフルオロ−２−ブテンと１，１，１，２，３−ペンタフルオロプロパンとから本質的になる方法。
【０１１５】
実施形態Ｄ６。共沸混合物様組成物を熱媒として使用する工程を含む方法であって、前記共沸混合物様組成物が、Ｚ−１，１，１，４，４，４−ヘキサフルオロ−２−ブテンと１，１，１，２，３−ペンタフルオロプロパンとから本質的になる方法。
【０１１６】
実施形態Ｄ７。共沸混合物様組成物を消火剤または鎮火剤として使用する工程を含む消火または鎮火方法であって、前記共沸混合物様組成物が、Ｚ−１，１，１，４，４，４−ヘキサフルオロ−２−ブテンと１，１，１，２，３−ペンタフルオロプロパンとから本質的になる方法。
【０１１７】
実施形態Ｄ８。共沸混合物様組成物を誘電体として使用する工程を含む方法であって、前記共沸混合物様組成物が、Ｚ−１，１，１，４，４，４−ヘキサフルオロ−２−ブテンと１，１，１，２，３−ペンタフルオロプロパンとから本質的になる方法。
【０１１８】
実施形態Ｅ１。（ａ）Ｚ−１，１，１，４，４，４−ヘキサフルオロ−２−ブテンと、
（ｂ）Ｅ−１−クロロ−２，３，３，３−テトラフルオロプロペンと
から本質的になる組成物であって、Ｅ−１−クロロ−２，３，３，３−テトラフルオロプロペンがＺ−１，１，１，４，４，４−ヘキサフルオロ−２−ブテンと共沸混合物様組み合わせを形成するのに有効な量で存在する組成物。
【０１１９】
実施形態Ｅ２。共沸混合物様組成物を発泡剤として使用する工程を含む熱可塑性または熱硬化性発泡体の製造方法であって、前記共沸混合物様組成物が、Ｚ−１，１，１，４，４，４−ヘキサフルオロ−２−ブテンとＥ−１−クロロ−２，３，３，３−テトラフルオロプロペンとから本質的になる方法。
【０１２０】
実施形態Ｅ３。共沸混合物様組成物を凝縮させる工程と、その後冷却されるべき本体の近くで前記共沸混合物様組成物を蒸発させる工程とを含む冷却を行うための方法であって、前記共沸混合物様組成物が、Ｚ−１，１，１，４，４，４−ヘキサフルオロ−２−ブテンとＥ−１−クロロ−２，３，３，３−テトラフルオロプロペンとから本質的になる方法。
【０１２１】
実施形態Ｅ４。共沸混合物様組成物を溶媒として使用する工程を含む方法であって、前記共沸混合物様組成物が、Ｚ−１，１，１，４，４，４−ヘキサフルオロ−２−ブテンとＥ−１−クロロ−２，３，３，３−テトラフルオロプロペンとから本質的になる方法。
【０１２２】
実施形態Ｅ５。共沸混合物様組成物を噴射剤として使用する工程を含むエアゾール製品の製造方法であって、前記共沸混合物様組成物が、Ｚ−１，１，１，４，４，４−ヘキサフルオロ−２−ブテンとＥ−１−クロロ−２，３，３，３−テトラフルオロプロペンとから本質的になる方法。
【０１２３】
実施形態Ｅ６。共沸混合物様組成物を熱媒として使用する工程を含む方法であって、前記共沸混合物様組成物が、Ｚ−１，１，１，４，４，４−ヘキサフルオロ−２−ブテンとＥ−１−クロロ−２，３，３，３−テトラフルオロプロペンとから本質的になる方法。
【０１２４】
実施形態Ｅ７。共沸混合物様組成物を消火剤または鎮火剤として使用する工程を含む消火または鎮火方法であって、前記共沸混合物様組成物が、Ｚ−１，１，１，４，４，４−ヘキサフルオロ−２−ブテンとＥ−１−クロロ−２，３，３，３−テトラフルオロプロペンとから本質的になる方法。
【０１２５】
実施形態Ｅ８。共沸混合物様組成物を誘電体として使用する工程を含む方法であって、前記共沸混合物様組成物が、Ｚ−１，１，１，４，４，４−ヘキサフルオロ−２−ブテンとＥ−１−クロロ−２，３，３，３−テトラフルオロプロペンとから本質的になる方法。
【図１】
2014504675.tif 000016
【図２】
2014504675.tif 000017
【図３】
2014504675.tif 000018
【図４】
2014504675.tif 000019
【図５】
2014504675.tif 000020
【国際調査報告】
2014504675.tif 000021
2014504675.tif 000022
2014504675.tif 000023
2014504675.tif 000024
2014504675.tif 000025